(57)【要約】  本発明は、リソース占有状態を決定する方法及び装置を開示し、トラフィック送信周期が変化している場合、従来のリソース占有予測方法そのままで採用すれば、リソース占有状態の維持及びリソース選択の複雑さが非常に高い従来の問題点を解決する。当該方法では、第１のノードは、少なくとも１つの第２のノードによって送信されたＳＡ情報を受信し、前記ＳＡ情報は第２のノードによって送信されたＳＡ情報であり、前記ＳＡ情報は前記第２のノードのリソース占有状態を示し、前記第１のノードは、自分のトラフィック送信周期及び前記ＳＡ情報に基づき、各状態維持時間において、前記第１のノードのトラフィック送信周期を長さとする状態維持周期内のリソース占有状態を確定する。本発明の実施例に係る技術案によれば、リソース占有状態の維持及びリソース選択の複雑さを低減することができる。
2019525613.tif 000002
【特許請求の範囲】
【請求項１】
第１のノードは、少なくとも１つの第２のノードによって送信されたＳＡ情報を受信するステップと、
前記第１のノードは、自分のトラフィック送信周期及び前記ＳＡ情報に基づき、各状態維持時間において、前記第１のノードのトラフィック送信周期を長さとする状態維持周期内のリソース占有状態を確定するステップとを備え、
前記ＳＡ情報は第２のノードが送信したスケジューリング割り当て（ＳＡ）情報であり、前記ＳＡ情報は前記第２のノードのリソース占有状態を示すことを特徴とするリソース占有状態を決定する方法。
【請求項２】
前記ＳＡ情報には、
前記第２のノードのトラフィック送信周期を示す情報と、
前記第２のノードに占有されたリソースが占有されることができる残りの占有回数を示す情報と、
前記第２のノードに占有されたリソースの時間−周波数位置を示す指示情報とのうちの少なくとも１つが含まれることを特徴とする請求項１に記載のリソース占有状態を決定する方法。
【請求項３】
前記第２のノードに占有されたリソースの時間−周波数位置を示す指示情報は、
前記第２のノードに占有されたリソースの周波数領域位置を示す情報と、
前記第２のノードが前記ＳＡ情報を送信する時刻と前記第２のノードに占有されたリソースの時間領域位置との間のオフセットの値を示す第１時間オフセットの値と、
のうちの少なくとも１つを含むことを特徴とする請求項２に記載のリソース占有状態を決定する方法。
【請求項４】
前記第１のノードは、自分のトラフィック送信周期及び前記ＳＡ情報に基づき、各状態維持時間において、前記第１のノードのトラフィック送信周期を長さとする状態維持周期内のリソース占有状態を確定する場合、
現在状態維持時刻について、前記第１のノードは、前記ＳＡ情報に基づき、前記第２のノードに占有されたリソースの時間領域位置及び周波数領域位置を決定し、前記状態維持周期内の周波数領域における前記第２のノードに占有されたリソースの等価位置は、前記周波数領域位置であり、
時間領域位置が現在状態維持時刻のリソースより大きいか等しい場合、前記第１のノードは、自分のトラフィック送信周期及び前記リソースの時間領域位置に基づき、前記状態維持周期内の時間領域における前記リソースの等価位置を決定することを特徴とする請求項１ないし請求項３のいずれか１項に記載のリソース占有状態を決定する方法。
【請求項５】
前記第１のノードは、自分のトラフィック送信周期及び前記リソースの時間領域位置に基づき、前記状態維持周期内の時間領域における前記リソースの等価位置を決定する場合、
前記第１のノードは、前記リソースの時間領域位置及び前記状態維持周期に対してモジュラス演算を行い、
前記第１のノードは、モジュラス演算で得られた値を、前記状態維持周期内の時間領域における前記リソースの等価位置とすることを特徴とする請求項４に記載のリソース占有状態を決定する方法。
【請求項６】
現在状態維持時刻について、前記第１のノードは、前記ＳＡ情報に基づき、以下の数式で前記第２のノードに占有されたリソースの時間領域位置を決定し、
【数１】
2019525613.tif 000057
ここで、
【数２】
2019525613.tif 000058
は、前記第２のノードに占有されたリソースの時間領域位置であり、
【数３】
2019525613.tif 000059
は現在状態維持時刻に対応する第２時間オフセットの値であり、前記第２時間オフセットの値は、前記状態維持時刻と前記第２のノードに占有されたリソースの時間領域位置との間のオフセットを示し、
【数４】
2019525613.tif 000060
は前記第２のノードのトラフィック送信周期であり、
【数５】
2019525613.tif 000061
Ｎは、前記第２のノードに占有されたリソースが占有されることができる残りの占有回数であることを特徴とする請求項４に記載のリソース占有状態を決定する方法。
【請求項７】
いずれの
【数６】
2019525613.tif 000062
が０より大きいか等しければ、前記いずれの
【数７】
2019525613.tif 000063
に対応するリソースの時間領域位置は、現在状態維持時刻より大きいか等しい、または、
前記いずれの
【数８】
2019525613.tif 000064
が０より小さければ、前記いずれの
【数９】
2019525613.tif 000065
に対応するリソースの時間領域位置は、現在状態維持時刻より小さいことを特徴とする請求項６に記載のリソース占有状態を決定する方法。
【請求項８】
現在状態維持時刻に対応する第２時間オフセットの値は、最後の状態維持時刻に対応する第２時間オフセットの値から時間差を引いた値であり、前記時間差は、現在状態維持時刻と最後の状態維持時刻の間の時間間隔であり、
前記第２時間オフセットの値の初期値は、前記ＳＡ情報内の第１時間オフセットの値に基づいて決定されたものであり、前記第１時間オフセットの値は、前記第２のノードが前記ＳＡ情報を送信する時刻と前記第２のノードに占有されたリソースの時間領域位置との間のオフセットの値を示すことを特徴とする請求項６に記載のリソース占有状態を決定する方法。
【請求項９】
隣接するいずれの２つの状態維持時刻間の時間間隔は同じであることを特徴とする請求項１に記載のリソース占有状態を決定する方法。
【請求項１０】
少なくとも１つの第２のノードによって送信されたＳＡ情報を受信する受信モジュールと、
前記装置のトラフィック送信周期及び前記ＳＡ情報に基づき、各状態維持時間において、前記装置のトラフィック送信周期を長さとする状態維持周期内のリソース占有状態を決定する状態維持モジュールとを備え、
前記ＳＡ情報は第２のノードが送信したスケジューリング割り当て（ＳＡ）情報であり、前記ＳＡ情報は前記第２のノードのリソース占有状態を示すことを特徴とするリソース占有状態を決定する装置。
【請求項１１】
前記ＳＡ情報には、
前記第２のノードのトラフィック送信周期を示す情報と、
前記第２のノードに占有されたリソースが占有されることができる残りの占有回数を示す情報と、
前記第２のノードに占有されたリソースの時間−周波数位置を示す指示情報とのうちの少なくとも１つが含まれることを特徴とする請求項１０に記載のリソース占有状態を決定する装置。
【請求項１２】
前記第２のノードに占有されたリソースの時間−周波数位置を示す指示情報は、
前記第２のノードに占有されたリソースの周波数領域位置を示す情報、及び、第１時間オフセットの値のうちの少なくとも１つを含み、
前記第１時間オフセットの値は、前記第２のノードが前記ＳＡ情報を送信する時刻と前記第２のノードに占有されたリソースの時間領域位置との間のオフセットの値を示すことを特徴とする請求項１１に記載のリソース占有状態を決定する装置。
【請求項１３】
前記状態維持モジュールは、
現在状態維持時刻について、前記ＳＡ情報に基づき、前記第２のノードに占有されたリソースの時間領域位置及び周波数領域位置を決定し、前記状態維持周期内の周波数領域における前記第２のノードに占有されたリソースの等価位置は、前記周波数領域位置であり、時間領域位置が現在状態維持時刻のリソースより大きいか等しい場合、前記装置のトラフィック送信周期及び前記リソースの時間領域位置に基づき、前記状態維持周期内の時間領域における前記リソースの等価位置を決定することを特徴とする請求項１０ないし請求項１２のいずれか１項に記載のリソース占有状態を決定する装置。
【請求項１４】
前記状態維持モジュールは、
前記リソースの時間領域位置及び前記状態維持周期に対してモジュラス演算を行い、モジュラス演算で得られた値を、前記状態維持周期内の時間領域における前記リソースの等価位置とすることを特徴とする請求項１３に記載のリソース占有状態を決定する装置。
【請求項１５】
現在状態維持時刻について、前記状態維持モジュールは、前記ＳＡ情報に基づき、以下の数式で前記第２のノードに占有されたリソースの時間領域位置を決定し、
【数１０】
2019525613.tif 000066
ここで、
【数１１】
2019525613.tif 000067
は、前記第２のノードに占有されたリソースの時間領域位置であり、
【数１２】
2019525613.tif 000068
は現在状態維持時刻に対応する第２時間オフセットの値であり、前記第２時間オフセットの値は、前記状態維持時刻と前記第２のノードに占有されたリソースの時間領域位置との間のオフセットを示し、
【数１３】
2019525613.tif 000069
は前記第２のノードのトラフィック送信周期であり、
【数１４】
2019525613.tif 000070
Ｎは、前記第２のノードに占有されたリソースが占有されることができる残りの占有回数であることを特徴とする請求項１３に記載のリソース占有状態を決定する装置。
【請求項１６】
いずれの
【数１５】
2019525613.tif 000071
が０より大きいか等しければ、前記いずれの
【数１６】
2019525613.tif 000072
に対応するリソースの時間領域位置は、現在状態維持時刻より大きいか等しい、または、
前記いずれの
【数１７】
2019525613.tif 000073
が０より小さければ、前記いずれの
【数１８】
2019525613.tif 000074
に対応するリソースの時間領域位置は、現在状態維持時刻より小さいことを特徴とする請求項１５に記載のリソース占有状態を決定する装置。
【請求項１７】
現在状態維持時刻に対応する第２時間オフセットの値は、最後の状態維持時刻に対応する第２時間オフセットの値から時間差を引いた値であり、前記時間差は、現在状態維持時刻と最後の状態維持時刻の間の時間間隔であり、前記第２時間オフセットの値の初期値は、前記ＳＡ情報内の第１時間オフセットの値に基づいて決定されたものであり、前記第１時間オフセットの値は、前記第２のノードが前記ＳＡ情報を送信する時刻と前記第２のノードに占有されたリソースの時間領域位置との間のオフセットの値を示すことを特徴とする請求項１５に記載のリソース占有状態を決定する装置。
【請求項１８】
隣接するいずれの２つの状態維持時刻間の時間間隔は同じであることを特徴とする請求項１０に記載のリソース占有状態を決定する装置。
【請求項１９】
プロセッサと、送受信機と、メモリとを備え、
前記プロセッサは、前記メモリに格納されたプログラムを読み出し、請求項１ないし請求項９のいずれか１項に記載の前記方法を実行することを特徴とする装置。
【請求項２０】
コンピュータに請求項１ないし請求項９のいずれか１項に記載の前記方法を実行させるように構成されたコンピュータ実行可能命令を格納することを特徴とするコンピュータ記憶媒体。
【発明の詳細な説明】
【技術分野】
【０００１】
本発明は通信技術分野に関し、特に、リソース占有状態を決定する方法及び装置に関する。
【背景技術】
【０００２】
ロングタームエボリューション（Ｌｏｎｇ Ｔｅｒｍ Ｅｖｏｌｕｔｉｏｎ，ＬＴＥ）システムでは、全部のセキュリティ証明書を含むラージパケットとセキュリティ証明書の署名情報を含むスモールパケットとが定期的に車載インターネット通信で送信されるものとする。セキュリティ証明書の有効時間は現在５００ｍｓと定義されており、署名情報は全部のセキュリティ証明書が受信された後の期間（例えば５００ｍｓ）内でのみ有効である。一例として、データが車載インターネット通信において１００ｍｓの周期で送信される場合、最初に１つの大きいパケット、次に４つの小さいパケットが送信され得る。ラージパケットとスモールパケットとは異なるリソースを介して送信されるため、実際にリソースを効果的に選択するためには、全期間におけるリソースの占有状況を予測することが好ましい。例えば、トラフィック送信周期が１００ｍｓであれば、１つの大きなパケットと４つの小さなパケットが送信される５００ｍｓ内のリソースの占有状況を把握する必要がある。
【０００３】
現在、ロングタームエボリューション（Ｌｏｎｇ Ｔｅｒｍ Ｅｖｏｌｕｔｉｏｎ，ＬＴＥ）システムにおける基本車両間（ｂａｓｅｄ Ｖｅｈｉｃｌｅ ｔｏ Ｖｅｈｉｃｌｅ，ｂａｓｅｄＶ２Ｖ）技術では、ユーザ機器（Ｕｓｅｒ Ｅｑｕｉｐｍｅｎｔ，ＵＥ）は、最初に、データを送信するために占有されるリソースを示すためにスケジューリング割り当て（Ｓｃｈｅｄｕｌｉｎｇ ａｓｓｉｇｎｍｅｎｔ，ＳＡ）情報を送信し、そしてデータ（Ｄａｔａ）を送信する。ＳＡ情報とデータとは異なるチャネルを介して送信されるので、受信端は、まずＳＡ情報の制御チャネルを検出し、検出されたＳＡ情報に従ってデータを受信することができる。現在、ＬＴＥ−ｂａｓｅｄ Ｖ２Ｖテクノロジには、次の２つのリソース選択方式がある。
【０００４】
（一）、ユーザ機器（Ｕｓｅｒ Ｅｑｕｉｐｍｅｎｔ，ＵＥ）自らリソースを選択する方式を、図１Ａに示す。
当該方式では、ＵＥは、リソースの占有状況を予測しないと、リソースを選択することができない。一般的に以下２つの方式があり、１番目は、受信された他のＵＥのＳＡ情報に基づき、他のＵＥがデータを送信するために占有しているリソースのインジケータを取得し、さらにそのデータを送信するために未占有リソースを選択して自分のデータを送信する。２番目は、リソースのエネルギーを直接検出し、そのエネルギーがあるしきい値を超えている場合は、対応するリソースが占有されていると判断する。エネルギーが当該しきい値を超えていない場合は、対応するリソースが占有されていないと判断し、自分のデータを送信するためにさらに占有されていないリソースを選択する。
【０００５】
（二）基地局の助けを借りてリソースを選択する方式である車両がネットワークでカバーされている場合、基地局は図１Ｂに示すようにダウンリンク制御チャネル（物理ダウンリンク制御チャネル（Ｐｈｙｓｉｃａｌ Ｄｏｗｎｌｉｎｋ Ｃｏｎｔｒｏｌ Ｃｈａｎｎｅｌ， ｐｄｃｃｈ）/ＥＰＤＣＣＨ）でＶ２Ｖ通信をスケジューリングし得る。このような状況では、基地局は、Ｖ２Ｖ許可（ｇｒａｎｔ）メッセージを送信することにより、送信端がＳＡ情報およびデータを送信するためのリソースの位置を示す。
【０００６】
車内インターネット通信では、一般に、一定のトラフィック送信周期性があるので、上記予測方法でリソースのその後の占有状態を十分に予測することができ、こうしてリソースを選択する。渋滞状態を緩和するために、現在の渋滞状態および車両が変化するにつれて、トラフィック伝送周期が１００ｍｓから１０００ｍｓまで柔軟に変化することができるように、トラフィック伝送周期が可変になるように設定される得る。トラフィック送信周期が変化している場合、従来のリソース占有予測方法そのままで採用すれば、リソース占有状況を取得するための、予測すべきリソース占有状態の時間の長さは、すべてのラージパケットおよびスモールパケットの伝送パターンを含むそれぞれの周期の最小公倍数であり、そのような長期間にリソース占有状態を維持することは非常に複雑であり、またリソースを選択することはより複雑になる。
【発明の概要】
【発明が解決しようとする課題】
【０００７】
本発明に係る実施例はリソース占有状態を決定する方法及び装置を提供し、トラフィック送信周期が変化している場合、従来のリソース占有予測方法そのままで採用すれば、リソース占有状態の維持及びリソース選択の複雑さが非常に高い従来の問題点を解決する。
【課題を解決するための手段】
【０００８】
第１態様によれば、リソース占有状態を決定する方法は、第１のノードは、少なくとも１つの第２のノードによって送信されたＳＡ情報を受信するステップと、前記第１のノードは、自分のトラフィック送信周期及び前記ＳＡ情報に基づき、各状態維持時間において、前記第１のノードのトラフィック送信周期を長さとする状態維持周期内のリソース占有状態を確定するステップとを備え、前記ＳＡ情報は第２のノードによって送信されたＳＡ情報であり、前記ＳＡ情報は前記第２のノードのリソース占有状態を示す。
【０００９】
可能の実施形態では、前記ＳＡ情報に、
【００１０】
前記第２のノードのトラフィック送信周期を示す情報と、
【００１１】
前記第２のノードに占有されたリソースが占有されることができる残りの占有回数を示す情報と、
【００１２】
前記第２のノードに占有されたリソースの時間−周波数位置を示す指示情報とのうちの少なくとも１つが含まれる。
【００１３】
可能の実施形態では、前記第２のノードに占有されたリソースの時間−周波数位置を示す指示情報は、前記第２のノードに占有されたリソースの周波数領域位置を示す情報、及び、第１時間オフセットの値のうちの少なくとも１つを含み、前記第１時間オフセットの値は、前記第２のノードが前記ＳＡ情報を送信する時刻と前記第２のノードに占有されたリソースの時間領域位置との間のオフセットの値を示す。
【００１４】
可能の実施形態では、前記第１のノードは、自分のトラフィック送信周期及び前記ＳＡ情報に基づき、各状態維持時間において、前記第１のノードのトラフィック送信周期を長さとする状態維持周期内のリソース占有状態を確定する場合、現在状態維持時刻について、前記第１のノードは、前記ＳＡ情報に基づき、前記第２のノードに占有されたリソースの時間領域位置及び周波数領域位置を決定し、前記状態維持周期内の周波数領域における前記第２のノードに占有されたリソースの等価位置は、前記周波数領域位置であり、時間領域位置が現在状態維持時刻のリソースより大きいか等しい場合、前記第１のノードは、自分のトラフィック送信周期及び前記リソースの時間領域位置に基づき、前記状態維持周期内の時間領域における前記リソースの等価位置を決定する。
【００１５】
可能の実施形態では、前記第１のノードは、自分のトラフィック送信周期及び前記リソースの時間領域位置に基づき、前記状態維持周期内の時間領域における前記リソースの等価位置を決定する場合、前記第１のノードは、前記リソースの時間領域位置及び前記状態維持周期に対してモジュラス演算を行い、前記第１のノードは、モジュラス演算で得られた値を、前記状態維持周期内の時間領域における前記リソースの等価位置とする。
【００１６】
可能の実施形態では、現在状態維持時刻について、前記第１のノードは、前記ＳＡ情報に基づき、以下の数式で前記第２のノードに占有されたリソースの時間領域位置を決定し、
【００１７】
【数１】
2019525613.tif 000003
【００１８】
ここで、
【数２】
2019525613.tif 000004
は、前記第２のノードに占有されたリソースの時間領域位置であり、
【数３】
2019525613.tif 000005
は現在状態維持時刻に対応する第２時間オフセットの値であり、前記第２時間オフセットの値は、前記状態維持時刻と前記第２のノードに占有されたリソースの時間領域位置との間のオフセットを示し、
【数４】
2019525613.tif 000006
は前記第２のノードのトラフィック送信周期であり、
【数５】
2019525613.tif 000007
Ｎは、前記第２のノードに占有されたリソースが占有されることができる残りの占有回数である。
【００１９】
可能の実施形態では、いずれの
【数６】
2019525613.tif 000008
が０より大きいか等しければ、前記いずれの
【数７】
2019525613.tif 000009
に対応するリソースの時間領域位置は、現在状態維持時刻より大きいか等しい、または、前記いずれの
【数８】
2019525613.tif 000010
が０より小さければ、前記いずれの
【数９】
2019525613.tif 000011
に対応するリソースの時間領域位置は、現在状態維持時刻より小さい。
【００２０】
可能の実施形態では、現在状態維持時刻に対応する第２時間オフセットの値は、最後の状態維持時刻に対応する第２時間オフセットの値から時間差を引いた値であり、前記時間差は、現在状態維持時刻と最後の状態維持時刻の間の時間間隔であり、前記第２時間オフセットの値の初期値は、前記ＳＡ情報内の第１時間オフセットの値に基づいて決定されたものであり、前記第１時間オフセットの値は、前記第２のノードが前記ＳＡ情報を送信する時刻と前記第２のノードに占有されたリソースの時間領域位置との間のオフセットの値を示す。
【００２１】
可能の実施形態では、隣接するいずれの２つの状態維持時刻間の時間間隔は同じである。
【００２２】
第２態様によれば、コンピュータ記憶媒体に、実行可能なプログラムコードが格納されており、当該プログラムコードは、第１態様に記載の前記方法を実行する。
【００２３】
第３態様によれば、リソース占有状態を決定する装置は、
【００２４】
少なくとも１つの第２のノードによって送信されたＳＡ情報を受信する受信モジュールと、前記装置のトラフィック送信周期及び前記ＳＡ情報に基づき、各状態維持時間において、前記装置のトラフィック送信周期を長さとする状態維持周期内のリソース占有状態を決定する状態維持モジュールとを備え、
【００２５】
前記ＳＡ情報は第２のノードが送信したスケジューリング割り当て（ＳＡ）情報であり、前記ＳＡ情報は前記第２のノードのリソース占有状態を示す。
【００２６】
可能の実施形態では、前記ＳＡ情報に、
【００２７】
前記第２のノードのトラフィック送信周期を示す情報と、
【００２８】
前記第２のノードに占有されたリソースが占有されることができる残りの占有回数を示す情報と、
【００２９】
前記第２のノードに占有されたリソースの時間−周波数位置を示す指示情報とのうちの少なくとも１つが含まれる。
【００３０】
可能の実施形態では、前記第２のノードに占有されたリソースの時間−周波数位置を示す指示情報は、前記第２のノードに占有されたリソースの周波数領域位置を示す情報、及び第１時間オフセットの値のうちの少なくとも１つを含み、前記第１時間オフセットの値は、前記第２のノードが前記ＳＡ情報を送信する時刻と前記第２のノードに占有されたリソースの時間領域位置との間のオフセットの値を示す。
【００３１】
可能の実施形態では、前記状態維持モジュールは、現在状態維持時刻について、前記ＳＡ情報に基づき、前記第２のノードに占有されたリソースの時間領域位置及び周波数領域位置を決定し、前記状態維持周期内の周波数領域における前記第２のノードに占有されたリソースの等価位置は、前記周波数領域位置であり、時間領域位置が現在状態維持時刻のリソースより大きいか等しい場合、前記装置のトラフィック送信周期及び前記リソースの時間領域位置に基づき、前記状態維持周期内の時間領域における前記リソースの等価位置を決定する。
【００３２】
可能の実施形態では、前記状態維持モジュールは、前記リソースの時間領域位置及び前記状態維持周期に対してモジュラス演算を行い、モジュラス演算で得られた値を、前記状態維持周期内の時間領域における前記リソースの等価位置とする。
【００３３】
可能の実施形態では、現在状態維持時刻について、前記状態維持モジュールは、前記ＳＡ情報に基づき、以下の数式で前記第２のノードに占有されたリソースの時間領域位置を決定し、
【００３４】
【数１０】
2019525613.tif 000012
【００３５】
ここで、
【数１１】
2019525613.tif 000013
は、前記第２のノードに占有されたリソースの時間領域位置であり、
【数１２】
2019525613.tif 000014
は現在状態維持時刻に対応する第２時間オフセットの値であり、前記第２時間オフセットの値は、前記状態維持時刻と前記第２のノードに占有されたリソースの時間領域位置との間のオフセットを示し、
【数１３】
2019525613.tif 000015
は前記第２のノードのトラフィック送信周期であり、
【数１４】
2019525613.tif 000016
Ｎは、前記第２のノードに占有されたリソースが占有されることができる残りの占有回数である。
【００３６】
可能の実施形態では、いずれの
【数１５】
2019525613.tif 000017
が０より大きいか等しければ、前記いずれの
【数１６】
2019525613.tif 000018
に対応するリソースの時間領域位置は、現在状態維持時刻より大きいか等しい、または、前記いずれの
【数１７】
2019525613.tif 000019
が０より小さければ、前記いずれの
【数１８】
2019525613.tif 000020
に対応するリソースの時間領域位置は、現在状態維持時刻より小さい。
【００３７】
可能の実施形態では、現在状態維持時刻に対応する第２時間オフセットの値は、最後の状態維持時刻に対応する第２時間オフセットの値から時間差を引いた値であり、前記時間差は、現在状態維持時刻と最後の状態維持時刻の間の時間間隔であり、前記第２時間オフセットの値の初期値は、前記ＳＡ情報内の第１時間オフセットの値に基づいて決定されたものであり、前記第１時間オフセットの値は、前記第２のノードが前記ＳＡ情報を送信する時刻と前記第２のノードに占有されたリソースの時間領域位置との間のオフセットの値を示す。
【００３８】
可能の実施形態では、隣接するいずれの２つの状態維持時刻間の時間間隔は同じである。
【００３９】
第４態様によれば、リソース占有状態を決定する装置は、プロセッサと、送受信機と、メモリとを備え、
【００４０】
前記プロセッサは、前記メモリに格納されたプログラムを読み出し、
【００４１】
前記送受信機により、少なくとも１つの第２のノードによって送信されたＳＡ情報を受信し、前記ＳＡ情報は第２のノードが送信したスケジューリング割り当て（ＳＡ）情報であり、前記ＳＡ情報は前記第２のノードのリソース占有状態を示すし、
【００４２】
前記装置のトラフィック送信周期及び前記ＳＡ情報に基づき、各状態維持時間において、前記装置のトラフィック送信周期を長さとする状態維持周期内のリソース占有状態を決定し、
【００４３】
前記送受信機は、前記プロセッサの制御によりデータを送受信する。
【００４４】
可能の実施形態では、前記ＳＡ情報に、
【００４５】
前記第２のノードのトラフィック送信周期を示す情報と、
【００４６】
前記第２のノードに占有されたリソースが占有されることができる残りの占有回数を示す情報と、
【００４７】
前記第２のノードに占有されたリソースの時間−周波数位置を示す指示情報とのうちの少なくとも１つが含まれる。
【００４８】
可能の実施形態では、前記第２のノードに占有されたリソースの時間−周波数位置を示す指示情報は、前記第２のノードに占有されたリソースの周波数領域位置を示す情報、及び、第１時間オフセットの値のうちの少なくとも１つを含み、前記第１時間オフセットの値は、前記第２のノードが前記ＳＡ情報を送信する時刻と前記第２のノードに占有されたリソースの時間領域位置との間のオフセットの値を示す。
【００４９】
可能の実施形態では、前記プロセッサは、前記メモリに格納されたプログラムを読み出し、現在状態維持時刻について、前記ＳＡ情報に基づき、前記第２のノードに占有されたリソースの時間領域位置及び周波数領域位置を決定し、前記状態維持周期内の周波数領域における前記第２のノードに占有されたリソースの等価位置は、前記周波数領域位置であり、時間領域位置が現在状態維持時刻のリソースより大きいか等しい場合、前記装置のトラフィック送信周期及び前記リソースの時間領域位置に基づき、前記状態維持周期内の時間領域における前記リソースの等価位置を決定する。
【００５０】
可能の実施形態では、前記プロセッサは、前記メモリに格納されたプログラムを読み出し、前記リソースの時間領域位置及び前記状態維持周期に対してモジュラス演算を行い、モジュラス演算で得られた値を、前記状態維持周期内の時間領域における前記リソースの等価位置とする。
【００５１】
可能の実施形態では、現在状態維持時刻について、前記プロセッサは前記ＳＡ情報に基づき、以下の数式で前記第２のノードに占有されたリソースの時間領域位置を決定し、
【００５２】
【数１９】
2019525613.tif 000021
【００５３】
ここで、
【数２０】
2019525613.tif 000022
は、前記第２のノードに占有されたリソースの時間領域位置であり、
【数２１】
2019525613.tif 000023
は現在状態維持時刻に対応する第２時間オフセットの値であり、前記第２時間オフセットの値は、前記状態維持時刻と前記第２のノードに占有されたリソースの時間領域位置との間のオフセットを示し、
【数２２】
2019525613.tif 000024
は前記第２のノードのトラフィック送信周期であり、
【数２３】
2019525613.tif 000025
Ｎは、前記第２のノードに占有されたリソースが占有されることができる残りの占有回数である。
【００５４】
また、いずれの
【数２４】
2019525613.tif 000026
が０より大きいか等しければ、前記いずれの
【数２５】
2019525613.tif 000027
に対応するリソースの時間領域位置は、現在状態維持時刻より大きいか等しい、または、前記いずれの
【数２６】
2019525613.tif 000028
が０より小さければ、前記いずれの
【数２７】
2019525613.tif 000029
に対応するリソースの時間領域位置は、現在状態維持時刻より小さい。
【００５５】
可能の実施形態では、現在状態維持時刻に対応する第２時間オフセットの値は、最後の状態維持時刻に対応する第２時間オフセットの値から時間差を引いた値であり、前記時間差は、現在状態維持時刻と最後の状態維持時刻の間の時間間隔であり、前記第２時間オフセットの値の初期値は、前記ＳＡ情報内の第１時間オフセットの値に基づいて決定されたものであり、前記第１時間オフセットの値は、前記第２のノードが前記ＳＡ情報を送信する時刻と前記第２のノードに占有されたリソースの時間領域位置との間のオフセットの値を示す。
【００５６】
可能の実施形態では、隣接するいずれの２つの状態維持時刻間の時間間隔は同じである。
【発明の効果】
【００５７】
本発明の実施例に係る方法及び装置によれば、第１のノードは、少なくとも１つの第２のノードによって送信されたＳＡ情報を受信する。前記ＳＡ情報は第２のノードによって送信されたＳＡ情報であり、前記ＳＡ情報は前記第２のノードのリソース占有状態を示す。前記第１のノードは、自分のトラフィック送信周期及び前記ＳＡ情報に基づき、各状態維持時間において、前記第１のノードのトラフィック送信周期を長さとする状態維持周期内のリソース占有状態を確定する。第１のノードが自分のトラフィック送信周期及び受信したＳＡ情報に基づき、各状態維持時間において、状態維持周期内のリソース占有状態を決定するため、リソース占有状態の維持及びリソース選択の複雑さを低減する。
【図面の簡単な説明】
【００５８】
【図１Ａ】ユーザ機器が自らリソースを選択する方式を示す図である。
【図１Ｂ】基地局の助けを借りたリソース選択方式を示す図である。
【図２】本発明の実施例に係るリソース占有状態を決定する方法のフローチャートである。
【図３】本発明の実施例に係る第１のノードにより決定された第２のノードに占有されたリソースの時間−周波数位置を示す図である。
【図４】本発明に係る実施例１において決定されたリソース占有状態を示す図である。
【図５】本発明の実施例１に係る等価な時間−周波数位置を示す図である。
【図６】本発明に係る実施例１の他の等価な時間−周波数位置を示す図である。
【図７】本発明に係る実施例１の他の等価な時間−周波数位置を示す図である。
【図８】本発明の実施例に係るリソース占有状態を決定する装置を示す図である。
【図９】本発明の実施例に係る他のリソース占有状態を決定する装置を示す図である。
【発明を実施するための形態】
【００５９】
本発明に係る実施例の目的、技術案及びメリットをより明確にするため、以下、本発明に係る実施例の図面を参考しながら、本発明に係る実施例の技術案を明確かつ完全に説明する。説明した実施例は本発明の一部の実施例にすぎず、全部の実施例ではないのが明らかである。本発明の実施例に基づき、当業者は、創造的な作業を行わない限りに得られた他の実施例は、全部本発明の保護範囲に属する。
【００６０】
本発明の実施例に係る技術案を説明するため、ネットワーク内の異なる送信ノードは、「第１」、「第２」などの用語を使用して区別されるが、送信ノードの数、およびそれらの動作優先順位はそれに限定されない。第２のノードは、ネットワーク内の第１のノード以外の任意の１つの他の送信ノードを指す。
【００６１】
本発明に係る実施例に言及された「複数」は２つ以上を意味する。
【００６２】
本発明の実施例に係る技術案は、例えば２Ｇ、３Ｇ、４Ｇ、および５Ｇ通信システムを含む様々な通信システム、および例えばグローバルモバイルシステムなどの次世代通信システムに適用可能であり得る。例えば、ＧＳＭ（登録商標）（Ｇｌｏｂａｌ Ｓｙｓｔｅｍ ｆｏｒ Ｍｏｂｉｌｅ ｃｏｍｍｕｎｉｃａｔｉｏｎｓ）、ＣＤＭＡ（Ｃｏｄｅ Ｄｉｖｉｓｉｏｎ Ｍｕｌｔｉｐｌｅ Ａｃｃｅｓｓ）システム、ＴＤＭＡ（Ｔｉｍｅ Ｄｉｖｉｓｉｏｎ Ｍｕｌｔｉｐｌｅ Ａｃｃｅｓｓ）システム、ＷＣＤＭＡ（登録商標）（Ｗｉｄｅｂａｎｄ Ｃｏｄｅ Ｄｉｖｉｓｉｏｎ Ｍｕｌｔｉｐｌｅ Ａｃｃｅｓｓ Ｗｉｒｅｌｅｓｓ），ＦＤＭＡ（Ｆｒｅｑｕｅｎｃｙ Ｄｉｖｉｓｉｏｎ Ｍｕｌｔｉｐｌｅ Ａｄｄｒｅｓｓｉｎｇ）システム、ＯＦＤＭＡ（Ｏｒｔｈｏｇｏｎａｌ Ｆｒｅｑｕｅｎｃｙ−Ｄｉｖｉｓｉｏｎ Ｍｕｌｔｉｐｌｅ Ａｃｃｅｓｓ）システム、ＳＣ−ＦＤＭＡシステム、ＧＰＲＳ（Ｇｅｎｅｒａｌ Ｐａｃｋｅｔ Ｒａｄｉｏ Ｓｅｒｖｉｃｅ）システム、ＬＴＥ（Ｌｏｎｇ Ｔｅｒｍ Ｅｖｏｌｕｔｉｏｎ）システムなど。
【００６３】
本発明の実施例に係る第１のノード及び第２のノードは、ネットワーク側の装置（例えば、基地局）であることができ、また、ユーザ機器（無線端末）などであることもできる。
【００６４】
本発明の実施形態におけるリソースは、物理リソースブロック（Ｐｈｙｓｉｃａｌ Ｒｅｓｏｕｒｃｅ Ｂｌｏｃｋ，ＰＲＢ）でもよく、リソース粒子（Ｒｅｓｏｕｒｃｅ Ｅｌｅｍｅｎｔ、ＲＥ）でもよいし、直交周波数分割多重（Ｏｒｔｈｏｇｏｎａｌ Ｆｒｅｑｕｅｎｃｙ Ｄｉｖｉｓｉｏｎ Ｍｕｌｔｉｐｌｅｘ，ＯＦＤＭ）シンボルでもよい。リソースは、本発明の実施形態におけるいかなる特定の実施形態にも限定されない。
【００６５】
本発明の実施形態におけるリソースがＰＲＢである場合、リソースはＰＲＢを占有することができ、または複数のＰＲＢを占有することができる。リソースが複数のＰＲＢを占有する場合、複数のＰＲＢは連続していることができる。または、不連続になる可能性がある。本発明の実施形態におけるリソースがＲＥである場合、リソースはＲＥを占有してもよく、または複数のＲＥを占有してもよい。リソースが複数のＲＥを占有する場合、複数のＲＥは連続であってもよく、不連続であってもよい。本発明の実施形態におけるリソースがＲＥである場合、リソースは１つのＯＦＤＭシンボルを占有してもよく、または複数のＯＦＤＭシンボルを占有してもよく、リソースが複数のＯＦＤＭシンボルを占有する場合、複数のＯＦＤＭシンボルは連続であってもよく、または、不連続であってもよい。
【００６６】
以下、図面を参照しながら本発明に係る実施例を詳しく説明する。ここでの実施例は、本発明を説明及び解釈するためのものであるが、本発明を限定するためのものではない。
【００６７】
図２に示す実施例に係るリソース占有状態を決定する方法は、以下のステップを備える。
【００６８】
Ｓ２１において、第１のノードは、少なくとも１つの第２のノードによって送信されたＳＡ情報を受信する。前記ＳＡ情報は第２のノードによって送信されたＳＡ情報であり、前記ＳＡ情報は前記第２のノードのリソース占有状態を示す。
【００６９】
前記第２のノードは、前記第２のノードのトラフィック送信周期内で１つのリソースを占有してもよく、複数のリソースを占有してもよい。
【００７０】
Ｓ２２において、前記第１のノードは、自分のトラフィック送信周期及び前記ＳＡ情報に基づき、各状態維持時間において、前記第１のノードのトラフィック送信周期を長さとする状態維持周期内のリソース占有状態を確定する。
【００７１】
具体的に、第１のノードが現在状態維持時刻の前に複数の第２のノードから送信されたＳＡ情報を受信した場合、自分のトラフィック送信周期及び受信したすべてのＳＡ情報に基づき、リソース占有状態を維持する。
【００７２】
さらに、前記第１のノードがＳＡ情報及び/またはデータを伝送しようとする場合、維持しているリソース占有状態に基づき、アイドルリソースを選択して伝送する。
【００７３】
本発明に係る実施例では、第１のノードが自分のトラフィック送信周期及び受信したＳＡ情報に基づき、各状態維持時間において、状態維持周期内のリソース占有状態を決定するため、リソース占有状態の維持及びリソース選択の複雑さを低減する。
【００７４】
本発明に係る実施例では、第１のノードは、現在ネットワークの渋滞具合（例えば、車両ネットワーク内の車両の密度）、第１のノードのトラフィックタイプまたはトラフィック優先順位、およびトラフィックのうちの少なくとも１つに従って、そのトラフィック伝送周期を予測することができる。詳細については、自動車技術者協会（ＪＳ２９４５．１）のＪ２９４５．１の関連する説明を参照することができるので、ここでの繰り返しの説明は省略する。
【００７５】
本発明に係る実施例では、前記ＳＡ情報に、前記第２のノードのトラフィック送信周期を示す情報と、前記第２のノードに占有されたリソースが占有されることができる残りの占有回数を示す情報と、前記第２のノードに占有されたリソースの時間−周波数位置を示す指示情報とのうちの少なくとも１つが含まれる。
【００７６】
可能の実施形態では、前記第２のノードに占有されたリソースの時間−周波数位置を示す指示情報は、前記第２のノードに占有されたリソースの周波数領域位置を示す情報と、前記第２のノードに占有されたリソースの時間領域位置を示す情報とのうちの少なくとも１つを含む。
【００７７】
可能の実施形態では、前記第２のノードに占有されたリソースの時間領域位置を示す情報は、第１時間オフセットの値であり、前記第１時間オフセットの値は、前記第２のノードが前記ＳＡ情報を送信する時刻と前記第２のノードに占有されたリソースの時間領域位置との間のオフセットの値を示す。
【００７８】
勿論、前記第２のノードに占有されたリソースの時間領域位置を示す情報は、第１時間オフセットの値以外の、他の実施形態における情報他の情報とすることができ、例えば、この情報は前記第２のノードに占有されたリソースを含むサブフレームの番号である。別の例では、当該情報は、前記第２のノードに占有されたリソースを含むサブフレームと指定されたサブフレームとの間のオフセットである。さらに別の例では、当該情報は、前記第２のノードに占有されたリソースを含むサブフレームの番号の関数であるなど。
【００７９】
本発明に係る実施例では、前記第２のノードに占有されたリソースの周波数領域位置を示す情報は、前記第２のノードに占有されたリソースの周波数領域位置とすることができ、例えば、当該情報は、前記第２のノードに占有されたリソースを含むサブキャリアの番号であるか、他の前記第２のノードに占有されたリソースの周波数領域位置を示す情報である。例えば、当該情報は、前記第２のノードに占有されたリソースを含むサブキャリアと中心周波数との間のオフセットであり、また、例えば、当該情報は、前記第２のノードに占有されたリソースを含むサブキャリアの番に、事前設定された係数などを掛けたものである。
【００８０】
本発明に係る実施例では、前記第２のノードのトラフィック送信周期を示す情報は、前記第２のノードのトラフィック送信周期であるか、前記第２のノードのトラフィック送信周期を示す情報である。例えば、当該情報は、前記第２のノードのトラフィック送信周期の最小単位の倍数であるか、また、例えば、当該情報は、前記第２のノードのトラフィック送信周期の関数である。
【００８１】
本発明に係る実施例では、前記第２のノードに占有されたリソースが占有されることができる残りの占有回数を示す情報は、前記第２のノードに占有されたリソースが占有されることができる残りの占有回数であるか、他の前記第２のノードに占有されたリソースが占有されることができる残りの占有回数を示す情報である。例えば、当該情報は、前記第２のノードに占有されたリソースが占有されることができる残りの占有回数の関数である。ここで、リソースが占有されることができる残りの占有回数は、リソースが最初に占有された後に当該リソースが占有できる回数を指す。
【００８２】
なお、第２のノードのトラフィック送信周期において、第２のノードは、１つのリソースのみを占有してもよく、複数のリソースを占有してもよく、例えば、トラフィックパラメータ周期において、第２のノードは、３つのリソースを占有してもよい。最初のリソースで最初に送信し、２番目と３番目のリソースで再送信する。
【００８３】
前記第２のノードが、当該第２のノードのトラフィック送信周期において、占有する複数のリソースでデータを伝送すれば、前記第２のノードが送信したＳＡに前記第２のノードに占有された各リソースの時間−周波数位置を示す指示情報が含まれる。
【００８４】
前記ＳＡには、第２のノードに占有されたリソースの周波数領域位置及び第１時間量を示す情報が含むことを例とする。第２のノードがトラフィックパラメータ周期において、複数のリソースを占有すれば、前記ＳＡに、各リソースの周波数領域位置を示す指示情報、及び各リソースに対応する第１時間量が含まれる。ここで、前記第２のノードに占有された複数のリソースの周波数領域位置が同じであれば、前記ＳＡに時間−周波数位置を示す１つのみ指示情報を含ませばよい。
【００８５】
上記いずれの実施例に基づき、Ｓ２２の実施形態は以下とおりである。
【００８６】
現在状態維持時刻について、前記第１のノードは、前記ＳＡ情報に基づき、前記第２のノードに占有されたリソースの時間領域位置及び周波数領域位置を決定し、前記状態維持周期内の周波数領域における前記第２のノードに占有されたリソースの等価位置は、前記周波数領域位置であり、時間領域位置が現在状態維持時刻のリソースより大きいか等しい場合、前記第１のノードは、自分のトラフィック送信周期及び前記リソースの時間領域位置に基づき、前記状態維持周期内の時間領域における前記リソースの等価位置を決定する。
【００８７】
具体的に、状態維持時刻が到達した後、前記第１のノードは、まず、前記第２のノードのＳＡ情報に基づき、前記第２のノードに占有されたリソースの時間領域位置及び周波数領域位置を決定する。そして、前記第２のノードに占有されたリソースの前記状態維持周期内の等価な時間−周波数位置を決定する。前記状態維持周期内の周波数領域における前記第２のノードに占有されたリソースの等価位置は当該リソースの周波数領域位置である。時間領域の等価位置を決定する場合、前記第２のノードに占有された各リソースに対し、当該リソースの時間領域位置に対応する時刻が現在状態維持時刻の前の時刻であるか否かを判断する。当該リソースの時間領域位置に対応する時刻が現在状態維持時刻の前の時刻であればそれは当該リソースが過去に占有されたリソースであり、最初のリソースの選択に影響を及ぼさないことを示す。当該リソースの占有状態を維持する必要がない。当該リソースの時間領域位置に対応する時刻は、現在状態維持時刻または現在状態維持時刻より後にある場合、前記第１のノードがリソースを選択するとき当該リソースを選択したらいけないことを示す。リソース状態テーブルで当該リソース占有状態を維持する必要がある。
【００８８】
可能の実施形態では、前記第１のノードは、自分のトラフィック送信周期及び前記リソースの時間領域位置に基づき、前記状態維持周期内の時間領域における前記リソースの等価位置を決定する場合、記第１のノードは、前記リソースの時間領域位置及び前記状態維持周期に対してモジュラス演算を行い、前記第１のノードは、モジュラス演算で得られた値を、前記状態維持周期内の時間領域における前記リソースの等価位置とする。
【００８９】
可能の実施形態では、現在状態維持時刻について、前記第１のノードは、以下の数式で前記第２のノードに占有されたリソースの時間領域位置を決定する。
【００９０】
【数２８】
2019525613.tif 000030
【００９１】
ここで、
【数２９】
2019525613.tif 000031
は、前記第２のノードに占有されたリソースの時間領域位置であり、
【数３０】
2019525613.tif 000032
は現在状態維持時刻に対応する第２時間オフセットの値である。前記第２時間オフセットの値は、前記状態維持時刻と前記第２のノードに占有されたリソースの時間領域位置との間のオフセットを示し、
【数３１】
2019525613.tif 000033
は前記第２のノードのトラフィック送信周期であり、
【数３２】
2019525613.tif 000034
Ｎは、前記第２のノードに占有されたリソースが占有されることができる残りの占有回数である。
【００９２】
図３に示すように、Ｄａｔａ０は、第２のノードによって送信されたＳＡに直接関連するデータ送信リソース、すなわち、前記ＳＡに含まれる周波数領域位置を示す情報及び第１時間オフセットの値を示す情報に基づいて直接決定することができるリソースである。Ｄａｔａ１、Ｄａｔａ２及びＤａｔａ３は、リソース予約情報（即ち、第２のノードに占有されたリソースが占有されることができる残りの占有回数を示す情報）に従って決定される、後で占有される可能性があるリソースである。
【００９３】
さらに、現在時刻が０である場合、
【００９４】
いずれの
【数３３】
2019525613.tif 000035
が０より大きいか等しければ、当該
【数３４】
2019525613.tif 000036
に対応するリソースの時間領域位置は、現在状態維持時刻より大きいか等しい。または、前記いずれの
【数３５】
2019525613.tif 000037
が０より小さければ、当該
【数３６】
2019525613.tif 000038
に対応するリソースの時間領域位置は、現在状態維持時刻より小さい。
【００９５】
ここで、第２時間オフセットの値は時間とともに減少し、現在状態維持時刻に対応する第２時間オフセットの値は、最後の状態維持時刻に対応する第２時間オフセットの値から時間差を引いた値である。前記時間差は、現在状態維持時刻と最後の状態維持時刻の間の時間間隔である。前記第２時間オフセットの値の初期値は、前記ＳＡ情報内の第１時間オフセットの値に基づいて決定されたものである。前記第１時間オフセットの値は、前記第２のノードが前記ＳＡ情報を送信する時刻と前記第２のノードに占有されたリソースの時間領域位置との間のオフセットの値を示す。
【００９６】
具体的に、第２時間オフセットの値の初期値は、第１時間オフセットの値から△Ｔを引いた値である。ここで、△Ｔは、前記ＳＡ情報の受信時刻とその後の第１の状態維持時刻との差である。前記ＳＡ情報の受信時刻とその後の第１の状態維持時刻が同じ時刻である場合、ΔＴは０になり、すなわち、第２時間オフセットの値は、第１時間オフセットの値に等しい。
【００９７】
可能の実施形態では、隣接するいずれの２つの状態維持時刻間の時間間隔は同じである。
【００９８】
例えば、時間間隔が１つのサブフレームの長さに設定され、したがって各サブフレームの開始時刻は、状態維持時刻であり、現在サブフレームに対応する第２時間オフセットの値は、最後のサブフレームに対応する第２時間オフセットの値から１を引いた値である。
【００９９】
以下、具体的な実施例により、本発明の実施例に係るリソース占有状態を決定する方法を説明する。
【０１００】
実施例１
【０１０１】
ＵＥ４は、ＵＥ１、ＵＥ２、およびＵＥ３によってそれぞれ送信されたＳＡ情報を受信し、ＵＥ４は、受信したＳＡ情報を検出することによって、その後の期間内の予約されたリソースの占有状況を判断することができる。具体的に、ＵＥ１のトラフィック送信周期はＴ１であり、占有されたリソースはＲ１である。時間−周波数位置それぞれはＲ１_０、Ｒ１_１、Ｒ１_２、Ｒ１_３及びＲ１_４である。ＵＥ２のトラフィック送信周期はＴ２であり、占有されたリソースはＲ２、時間−周波数位置それぞれはＲ２_０及びＲ２_１である。ＵＥ３のトラフィック送信周期はＴ３であり、占有されたリソースはＲ３、時間−周波数位置それぞれはＲ３_０及びＲ３_１であり、図４に示す。
【０１０２】
ＵＥ４のトラフィック送信周期がＴ１である場合、時刻０（即ち状態維持時刻）において、ＵＥ１、ＵＥ２及びＵＥ３占有されたリソースの時間−周波数位置に対し、Ｔ１に従って、モジュラス演算の等価操作を行い、図５に示すような時間長Ｔ２の状態維持周期で、ＵＥ１、ＵＥ２、およびＵＥ３に占有されたリソースの、等価な時間−周波数位置のパターンが決定される。この等価リソース占有結果と実リソース占有結果との間には、等価な処理関係が存在することが明らかである。例えば、リソースＲ２とリソースＲ３の両方は、時間の最初のＴ１時刻ではアイドル状態であるが、トラフィックは、リソースＲ２とＲ３を介して周期Ｔ１でＵＥ４に送信することはできず、この等価操作では、リソースＲ２とＲ４はその後互いに衝突する恐れがある。
【０１０３】
ＵＥ４のトラフィック送信周期がＴ２である場合、時刻０において、ＵＥ１、ＵＥ２及びＵＥ３占有されたリソースの時間−周波数位置に対し、Ｔ２に従って、モジュラス演算の等価操作を行い、図６に示すような時間長Ｔ２の状態維持周期で、ＵＥ１、ＵＥ２、およびＵＥ３に占有されたリソースの、等価な時間−周波数位置のパターンが決定される。ＵＥ１、ＵＥ２及びＵＥ３に占有されたリこの等価リソース占有結果と実リソース占有結果との間には、等価な処理関係が存在することが明らかである。例えば、トラフィックは、最初のＴ１でリソースＲ２において周期Ｔ２でＵＥ４に送信されることができ、Ｒ３は等価操作されたことにより、その後にリソース衝突すると判断することができる。
【０１０４】
ＵＥ４のトラフィック送信周期はＴ３であり、時刻０でおいて、ＵＥ１、ＵＥ２及びＵＥ３に占有されたリソースの時間−周波数位置に対し、Ｔ３に従って、モジュラス演算の等価操作を行い、図７に示すような時間長Ｔ３の状態維持周期で、ＵＥ１、ＵＥ２、およびＵＥ３に占有されたリソースの、等価な時間−周波数位置のパターンが決定される。ＵＥ１、ＵＥ２及びＵＥ３に占有されたリこの等価リソース占有結果と実リソース占有結果との間には、等価な処理関係が存在することが明らかである。例えば、トラフィックは、最初のＴ１でリソースＲ３において、周期Ｔ３でＵＥ４に送信されることができ、Ｒ２は等価操作されたことにより、その後にリソース衝突すると判断することができる。
【０１０５】
上記の方法の処理フローは、記憶媒体に格納することができるソフトウェアプログラムで実行することができ、格納されたソフトウェアプログラムは、呼び出されると上記の方法のステップを実行することができる。
【０１０６】
同様な発明思想に基づき、本発明に係る実施例はリソース占有状態を決定する装置をさらに提供し、当該装置の課題解決原理は、図２に示す実施例に係るリソース占有状態を決定する方法と類似するため、当該装置の実施は方法の実施を参照することができ、繰り返して説明しない。
【０１０７】
図８に示す実施例では、リソース占有状態を決定する装置は、
【０１０８】
少なくとも１つの第２のノードによって送信されたＳＡ情報を受信する受信モジュール８１と、
【０１０９】
前記装置のトラフィック送信周期及び前記ＳＡ情報に基づき、各状態維持時間において、前記装置のトラフィック送信周期を長さとする状態維持周期内のリソース占有状態を決定する状態維持モジュール８２とを備える。
【０１１０】
前記ＳＡ情報は第２のノードが送信したスケジューリング割り当て（ＳＡ）情報であり、前記ＳＡ情報は前記第２のノードのリソース占有状態を示す。
【０１１１】
可能の実施形態では、前記ＳＡ情報に、
【０１１２】
前記第２のノードのトラフィック送信周期を示す情報と、
【０１１３】
前記第２のノードに占有されたリソースが占有されることができる残りの占有回数を示す情報と、
【０１１４】
前記第２のノードに占有されたリソースの時間−周波数位置を示す指示情報とのうちの少なくとも１つが含まれる。
【０１１５】
可能の実施形態では、前記第２のノードに占有されたリソースの時間−周波数位置を示す指示情報は、前記第２のノードに占有されたリソースの周波数領域位置を示す情報、及び、第１時間オフセットの値のうちの少なくとも１つを含む。前記第１時間オフセットの値は、前記第２のノードが前記ＳＡ情報を送信する時刻と前記第２のノードに占有されたリソースの時間領域位置との間のオフセットの値を示す。
【０１１６】
可能の実施形態では、前記状態維持モジュール８２は、現在状態維持時刻について、前記ＳＡ情報に基づき、前記第２のノードに占有されたリソースの時間領域位置及び周波数領域位置を決定し、前記状態維持周期内の周波数領域における前記第２のノードに占有されたリソースの等価位置は、前記周波数領域位置であり、時間領域位置が現在状態維持時刻のリソースより大きいか等しい場合、前記装置のトラフィック送信周期及び前記リソースの時間領域位置に基づき、前記状態維持周期内の時間領域における前記リソースの等価位置を決定する。
【０１１７】
可能の実施形態では、前記状態維持モジュール８２は、前記リソースの時間領域位置及び前記状態維持周期に対してモジュラス演算を行い、モジュラス演算で得られた値を、前記状態維持周期内の時間領域における前記リソースの等価位置とする。
【０１１８】
可能の実施形態では、現在状態維持時刻について、前記状態維持モジュール８２前記ＳＡ情報に基づき、以下の数式で前記第２のノードに占有されたリソースの時間領域位置を決定する。
【０１１９】
【数３７】
2019525613.tif 000039
【０１２０】
ここで、
【数３８】
2019525613.tif 000040
は、前記第２のノードに占有されたリソースの時間領域位置であり、
【数３９】
2019525613.tif 000041
は現在状態維持時刻に対応する第２時間オフセットの値であり、前記第２時間オフセットの値は、前記状態維持時刻と前記第２のノードに占有されたリソースの時間領域位置との間のオフセットを示し、
【数４０】
2019525613.tif 000042
は前記第２のノードのトラフィック送信周期であり、
【数４１】
2019525613.tif 000043
Ｎは、前記第２のノードに占有されたリソースが占有されることができる残りの占有回数である。
【０１２１】
さらに、いずれの
【数４２】
2019525613.tif 000044
が０より大きいか等しければ、前記いずれの
【数４３】
2019525613.tif 000045
に対応するリソースの時間領域位置は、現在状態維持時刻より大きいか等しい、または、
【０１２２】
前記いずれの
【数４４】
2019525613.tif 000046
が０より小さければ、前記いずれの
【数４５】
2019525613.tif 000047
に対応するリソースの時間領域位置は、現在状態維持時刻より小さい。
【０１２３】
可能の実施形態では、現在状態維持時刻に対応する第２時間オフセットの値は、最後の状態維持時刻に対応する第２時間オフセットの値から時間差を引いた値であり、前記時間差は、現在状態維持時刻と最後の状態維持時刻の間の時間間隔であり、前記第２時間オフセットの値の初期値は、前記ＳＡ情報内の第１時間オフセットの値に基づいて決定されたものであり、前記第１時間オフセットの値は、前記第２のノードが前記ＳＡ情報を送信する時刻と前記第２のノードに占有されたリソースの時間領域位置との間のオフセットの値を示す。
【０１２４】
可能の実施形態では、隣接するいずれの２つの状態維持時刻間の時間間隔は同じである。
【０１２５】
好ましいハードウェア構造で、本発明の実施例に係る装置の構造、処理を説明する。
【０１２６】
図９に示す実施例では、前記装置は、プロセッサ９００と、送受信機９１０と、メモリ９２０とを備える。
【０１２７】
前記プロセッサ９００は、前記メモリ９２０に格納されたプログラムを読み出し、前記送受信機により、少なくとも１つの第２のノードによって送信されたＳＡ情報を受信する。前記ＳＡ情報は第２のノードが送信したスケジューリング割り当て（ＳＡ）情報であり、前記ＳＡ情報は前記第２のノードのリソース占有状態を示す。
【０１２８】
また、前記装置のトラフィック送信周期及び前記ＳＡ情報に基づき、各状態維持時間において、前記装置のトラフィック送信周期を長さとする状態維持周期内のリソース占有状態を決定する。
【０１２９】
前記送受信機９１０は、前記プロセッサ９００の制御によりデータを送受信する。
【０１３０】
図９において、バスアーキテクチャは、いずれ数の相互接続するバス及びブリッジを備える。具体的に、プロセッサ９００が代表となる１つまたは複数のプロセッサ及びメモリ９２０が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機９１０は、複数の部品であることができ、即ち、送信機及び受信機を備え、伝送媒体を介して他の装置と通信するユニットを提供する。異なるユーザ設備に対し、ユーザインターフェース９３０は、外部接続または内部接続に必要な設備のインターフェースであることもできる。接続する設備は、キーパッド、ディスプレイ、スピーカ、マイクロホン、ジョイスティック等を備えるが、これに限られない。
【０１３１】
プロセッサ９００は、バスアーキテクチャ及び通常の処理を担当し、メモリ９２０は、プロセッサ９００が動作する際に用いるデータを記憶する。
【０１３２】
可能の実施形態では、前記ＳＡ情報に、
【０１３３】
前記第２のノードのトラフィック送信周期を示す情報と、
【０１３４】
前記第２のノードに占有されたリソースが占有されることができる残りの占有回数を示す情報と、
【０１３５】
前記第２のノードに占有されたリソースの時間−周波数位置を示す指示情報とのうちの少なくとも１つが含まれる。
【０１３６】
可能の実施形態では、前記第２のノードに占有されたリソースの時間−周波数位置を示す指示情報は、
【０１３７】
前記第２のノードに占有されたリソースの周波数領域位置を示す情報と、
【０１３８】
前記第１時間オフセットの値は、前記第２のノードが前記ＳＡ情報を送信する時刻と前記第２のノードに占有されたリソースの時間領域位置との間のオフセットの値を示す第１時間オフセットの値とのうちの少なくとも１つを含む。
【０１３９】
可能の実施形態では、前記プロセッサ９００は、前記メモリ９２０に格納されたプログラムを読み出し、現在状態維持時刻について、前記ＳＡ情報に基づき、前記第２のノードに占有されたリソースの時間領域位置及び周波数領域位置を決定し、前記状態維持周期内の周波数領域における前記第２のノードに占有されたリソースの等価位置は、前記周波数領域位置であり、時間領域位置が現在状態維持時刻のリソースより大きいか等しい場合、前記装置のトラフィック送信周期及び前記リソースの時間領域位置に基づき、前記状態維持周期内の時間領域における前記リソースの等価位置を決定する。
【０１４０】
可能の実施形態では、前記プロセッサ９００は、前記メモリ９２０に格納されたプログラムを読み出し前記リソースの時間領域位置及び前記状態維持周期に対してモジュラス演算を行い、モジュラス演算で得られた値を、前記状態維持周期内の時間領域における前記リソースの等価位置とする。
【０１４１】
可能の実施形態では、現在状態維持時刻について、前記プロセッサ９００前記ＳＡ情報に基づき、以下の数式で前記第２のノードに占有されたリソースの時間領域位置を決定する。
【０１４２】
【数４６】
2019525613.tif 000048
【０１４３】
ここで、
【数４７】
2019525613.tif 000049
は、前記第２のノードに占有されたリソースの時間領域位置であり、
【数４８】
2019525613.tif 000050
は現在状態維持時刻に対応する第２時間オフセットの値であり、前記第２時間オフセットの値は、前記状態維持時刻と前記第２のノードに占有されたリソースの時間領域位置との間のオフセットを示し、
【数４９】
2019525613.tif 000051
は前記第２のノードのトラフィック送信周期であり、
【数５０】
2019525613.tif 000052
Ｎは、前記第２のノードに占有されたリソースが占有されることができる残りの占有回数である。
【０１４４】
さらに、いずれの
【数５１】
2019525613.tif 000053
が０より大きいか等しければ、前記いずれの
【数５２】
2019525613.tif 000054
に対応するリソースの時間領域位置は、現在状態維持時刻より大きいか等しい、または、
【０１４５】
前記いずれの
【数５３】
2019525613.tif 000055
が０より小さければ、前記いずれの
【数５４】
2019525613.tif 000056
に対応するリソースの時間領域位置は、現在状態維持時刻より小さい。
【０１４６】
可能の実施形態では、現在状態維持時刻に対応する第２時間オフセットの値は、最後の状態維持時刻に対応する第２時間オフセットの値から時間差を引いた値であり、前記時間差は、現在状態維持時刻と最後の状態維持時刻の間の時間間隔であり、前記第２時間オフセットの値の初期値は、前記ＳＡ情報内の第１時間オフセットの値に基づいて決定されたものであり、前記第１時間オフセットの値は、前記第２のノードが前記ＳＡ情報を送信する時刻と前記第２のノードに占有されたリソースの時間領域位置との間のオフセットの値を示す。
【０１４７】
可能の実施形態では、隣接するいずれの２つの状態維持時刻間の時間間隔は同じである。
【０１４８】
同様な発明思想に基づき、本発明に係る実施例は、コンピュータ記憶媒体をさらに提供する。前記コンピュータ記憶媒体に、コンピュータ実行可能命令が格納されており、前記コンピュータ実行可能命令は、前記コンピュータが上記実施例にかかる方法を実行させる。
【０１４９】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがわかるはずである。さらに、本発明は、一つ或いは複数のコンピュータプログラム製品の形式を採用できる。当該製品はコンピュータ使用可能なプログラムコードを含むコンピュータ使用可能な記憶媒体（ディスク記憶装置、ＣＤ−ＲＯＭ、光学記憶装置等を含むがそれとは限らない）において実施する。
【０１５０】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。
【０１５１】
これらのコンピュータプログラム指令は又、コンピュータ或いは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つ或いは複数のフローおよび／またはブロック図における一つ或いは複数のブロックに指定する機能を実現する。
【０１５２】
これらコンピュータプログラム指令はさらに、コンピュータ或いは他のプログラム可能なデータ処理装置設備に実装もできる。コンピュータプログラム指令が実装されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。
【０１５３】
上述した実施形態に記述された技術的な解決手段を改造し、或いはその中の一部の技術要素を置換することもできる。そのような、改造と置換は本発明の各実施形態の技術の範囲から逸脱するとは見なされない。
【０１５４】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【０１５５】
本出願は、２０１６年０８月２日に中国特許局に提出し、出願番号が２０１６１０６２６１８３.７であり、発明名称が「リソース占有状態を決定する方法及び装置」との中国特許出願を基礎とする優先権を主張し、その開示の総てをここに取り込む。
【符号の説明】
【０１５６】
81  受信モジュール
82  状態維持モジュール
900  プロセッサ
910  送受信機
920  メモリ
930  ユーザーインターフェース
【図１Ａ】
2019525613.tif 000075
【図１Ｂ】
2019525613.tif 000076
【図２】
2019525613.tif 000077
【図３】
2019525613.tif 000078
【図４】
2019525613.tif 000079
【図５】
2019525613.tif 000080
【図６】
2019525613.tif 000081
【図７】
2019525613.tif 000082
【図８】
2019525613.tif 000083
【図９】
2019525613.tif 000084
【手続補正書】
【提出日】平成31年2月15日(2019.2.15)
【手続補正１】
【補正対象書類名】特許請求の範囲
【補正対象項目名】全文
【補正方法】変更
【補正の内容】
【特許請求の範囲】
【請求項１】
第１のノードは、少なくとも１つの第２のノードによって送信されたＳＡ情報を受信するステップと、
前記第１のノードは、自分のトラフィック送信周期及び前記ＳＡ情報に基づき、各状態維持時間において、前記第１のノードのトラフィック送信周期を長さとする状態維持周期内のリソース占有状態を確定するステップとを備え、
前記ＳＡ情報は第２のノードが送信したスケジューリング割り当て（ＳＡ）情報であり、前記ＳＡ情報は前記第２のノードのリソース占有状態を示すことを特徴とするリソース占有状態を決定する方法。
【請求項２】
前記ＳＡ情報には、
前記第２のノードのトラフィック送信周期を示す情報と、
前記第２のノードに占有されたリソースが占有されることができる残りの占有回数を示す情報と、
前記第２のノードに占有されたリソースの時間−周波数位置を示す指示情報とのうちの少なくとも１つが含まれ、
前記第２のノードに占有されたリソースの時間−周波数位置を示す指示情報は、
前記第２のノードに占有されたリソースの周波数領域位置を示す情報と、
前記第２のノードが前記ＳＡ情報を送信する時刻と前記第２のノードに占有されたリソースの時間領域位置との間のオフセットの値を示す第１時間オフセットの値と、のうちの少なくとも１つを含むことを特徴とする請求項１に記載のリソース占有状態を決定する方法。
【請求項３】
前記第１のノードは、自分のトラフィック送信周期及び前記ＳＡ情報に基づき、各状態維持時間において、前記第１のノードのトラフィック送信周期を長さとする状態維持周期内のリソース占有状態を確定する場合、
現在状態維持時刻について、前記第１のノードは、前記ＳＡ情報に基づき、前記第２のノードに占有されたリソースの時間領域位置及び周波数領域位置を決定し、前記状態維持周期内の周波数領域における前記第２のノードに占有されたリソースの等価位置は、前記周波数領域位置であり、
時間領域位置が現在状態維持時刻のリソースより大きいか等しい場合、前記第１のノードは、自分のトラフィック送信周期及び前記リソースの時間領域位置に基づき、前記状態維持周期内の時間領域における前記リソースの等価位置を決定することを特徴とする請求項１または請求項２に記載のリソース占有状態を決定する方法。
【請求項４】
前記第１のノードは、自分のトラフィック送信周期及び前記リソースの時間領域位置に基づき、前記状態維持周期内の時間領域における前記リソースの等価位置を決定する場合、
前記第１のノードは、前記リソースの時間領域位置及び前記状態維持周期に対してモジュラス演算を行い、
前記第１のノードは、モジュラス演算で得られた値を、前記状態維持周期内の時間領域における前記リソースの等価位置とすることを特徴とする請求項３に記載のリソース占有状態を決定する方法。
【請求項５】
現在状態維持時刻について、前記第１のノードは、前記ＳＡ情報に基づき、以下の数式で前記第２のノードに占有されたリソースの時間領域位置を決定し、
【数１】
2019525613.tif 000085
ここで、
【数２】
2019525613.tif 000086
は、前記第２のノードに占有されたリソースの時間領域位置であり、
【数３】
2019525613.tif 000087
は現在状態維持時刻に対応する第２時間オフセットの値であり、前記第２時間オフセットの値は、前記状態維持時刻と前記第２のノードに占有されたリソースの時間領域位置との間のオフセットを示し、
【数４】
2019525613.tif 000088
は前記第２のノードのトラフィック送信周期であり、
【数５】
2019525613.tif 000089
Ｎは、前記第２のノードに占有されたリソースが占有されることができる残りの占有回数であることを特徴とする請求項３に記載のリソース占有状態を決定する方法。
【請求項６】
いずれの
【数６】
2019525613.tif 000090
が０より大きいか等しければ、前記いずれの
【数７】
2019525613.tif 000091
に対応するリソースの時間領域位置は、現在状態維持時刻より大きいか等しい、または、
前記いずれの
【数８】
2019525613.tif 000092
が０より小さければ、前記いずれの
【数９】
2019525613.tif 000093
に対応するリソースの時間領域位置は、現在状態維持時刻より小さいことを特徴とする請求項５に記載のリソース占有状態を決定する方法。
【請求項７】
現在状態維持時刻に対応する第２時間オフセットの値は、最後の状態維持時刻に対応する第２時間オフセットの値から時間差を引いた値であり、前記時間差は、現在状態維持時刻と最後の状態維持時刻の間の時間間隔であり、
前記第２時間オフセットの値の初期値は、前記ＳＡ情報内の第１時間オフセットの値に基づいて決定されたものであり、前記第１時間オフセットの値は、前記第２のノードが前記ＳＡ情報を送信する時刻と前記第２のノードに占有されたリソースの時間領域位置との間のオフセットの値を示すことを特徴とする請求項５に記載のリソース占有状態を決定する方法。
【請求項８】
少なくとも１つの第２のノードによって送信されたＳＡ情報を受信する受信モジュールと、
前記装置のトラフィック送信周期及び前記ＳＡ情報に基づき、各状態維持時間において、前記装置のトラフィック送信周期を長さとする状態維持周期内のリソース占有状態を決定する状態維持モジュールとを備え、
前記ＳＡ情報は第２のノードが送信したスケジューリング割り当て（ＳＡ）情報であり、前記ＳＡ情報は前記第２のノードのリソース占有状態を示すことを特徴とするリソース占有状態を決定する装置。
【請求項９】
前記ＳＡ情報には、
前記第２のノードのトラフィック送信周期を示す情報と、
前記第２のノードに占有されたリソースが占有されることができる残りの占有回数を示す情報と、
前記第２のノードに占有されたリソースの時間−周波数位置を示す指示情報とのうちの少なくとも１つが含まれ、
前記第２のノードに占有されたリソースの時間−周波数位置を示す指示情報は、
前記第２のノードに占有されたリソースの周波数領域位置を示す情報、及び、第１時間オフセットの値のうちの少なくとも１つを含み、
前記第１時間オフセットの値は、前記第２のノードが前記ＳＡ情報を送信する時刻と前記第２のノードに占有されたリソースの時間領域位置との間のオフセットの値を示すことを特徴とする請求項８に記載のリソース占有状態を決定する装置。
【請求項１０】
前記状態維持モジュールは、
現在状態維持時刻について、前記ＳＡ情報に基づき、前記第２のノードに占有されたリソースの時間領域位置及び周波数領域位置を決定し、前記状態維持周期内の周波数領域における前記第２のノードに占有されたリソースの等価位置は、前記周波数領域位置であり、時間領域位置が現在状態維持時刻のリソースより大きいか等しい場合、前記装置のトラフィック送信周期及び前記リソースの時間領域位置に基づき、前記状態維持周期内の時間領域における前記リソースの等価位置を決定することを特徴とする請求項８ないし請求項９のいずれか１項に記載のリソース占有状態を決定する装置。
【請求項１１】
前記状態維持モジュールは、
前記リソースの時間領域位置及び前記状態維持周期に対してモジュラス演算を行い、モジュラス演算で得られた値を、前記状態維持周期内の時間領域における前記リソースの等価位置とすることを特徴とする請求項１０に記載のリソース占有状態を決定する装置。
【請求項１２】
現在状態維持時刻について、前記状態維持モジュールは、前記ＳＡ情報に基づき、以下の数式で前記第２のノードに占有されたリソースの時間領域位置を決定し、
【数１０】
2019525613.tif 000094
ここで、
【数１１】
2019525613.tif 000095
は、前記第２のノードに占有されたリソースの時間領域位置であり、
【数１２】
2019525613.tif 000096
は現在状態維持時刻に対応する第２時間オフセットの値であり、前記第２時間オフセットの値は、前記状態維持時刻と前記第２のノードに占有されたリソースの時間領域位置との間のオフセットを示し、
【数１３】
2019525613.tif 000097
は前記第２のノードのトラフィック送信周期であり、
【数１４】
2019525613.tif 000098
Ｎは、前記第２のノードに占有されたリソースが占有されることができる残りの占有回数であることを特徴とする請求項１０に記載のリソース占有状態を決定する装置。
【請求項１３】
いずれの
【数１５】
2019525613.tif 000099
が０より大きいか等しければ、前記いずれの
【数１６】
2019525613.tif 000100
に対応するリソースの時間領域位置は、現在状態維持時刻より大きいか等しい、または、
前記いずれの
【数１７】
2019525613.tif 000101
が０より小さければ、前記いずれの
【数１８】
2019525613.tif 000102
に対応するリソースの時間領域位置は、現在状態維持時刻より小さいことを特徴とする請求項１２に記載のリソース占有状態を決定する装置。
【請求項１４】
現在状態維持時刻に対応する第２時間オフセットの値は、最後の状態維持時刻に対応する第２時間オフセットの値から時間差を引いた値であり、前記時間差は、現在状態維持時刻と最後の状態維持時刻の間の時間間隔であり、前記第２時間オフセットの値の初期値は、前記ＳＡ情報内の第１時間オフセットの値に基づいて決定されたものであり、前記第１時間オフセットの値は、前記第２のノードが前記ＳＡ情報を送信する時刻と前記第２のノードに占有されたリソースの時間領域位置との間のオフセットの値を示すことを特徴とする請求項１２に記載のリソース占有状態を決定する装置。
【請求項１５】
コンピュータに請求項１ないし請求項７のいずれか１項に記載の前記方法を実行させるように構成されたコンピュータ実行可能命令を格納することを特徴とするコンピュータ記憶媒体。
【国際調査報告】
2019525613.tif 000103
2019525613.tif 000104
2019525613.tif 000105
2019525613.tif 000106
2019525613.tif 000107
2019525613.tif 000108